(57)【要約】【課題】  扉を備えた安全柵であって、狭いスペースでの設置が可能な安全柵を提供する。【解決手段】  本発明の一態様に係る安全柵１００は、通路口に設置可能な安全柵であって、通路口を形成する幅方向一方側の構造部材１０１に固定される支持部材１０と、支持部材１０に基端部が回動可能に支持される第１パネル２０と、第１パネル２０の先端部に基端部が回動可能に連結され、第１パネル２０とともに扉７０を構成する第２パネル４０と、通路口を形成する幅方向他方側の構造部材１０２に固定される保持部材５０と、を備え、保持部材５０は、支持部材１０に向かって開口する開口部５１を有し、当該開口部５１から挿入された第２パネル４０の先端部を内部で保持できるように構成されている。【選択図】図１
2020179061.tif 000002
【特許請求の範囲】
【請求項１】
通路口に設置可能な安全柵であって、
前記通路口を形成する幅方向一方側の構造部材に固定される支持部材と、
前記支持部材に基端部が回動可能に支持される第１パネルと、
前記第１パネルの先端部に基端部が回動可能に連結され、前記第１パネルとともに扉を構成する第２パネルと、
前記通路口を形成する幅方向他方側の構造部材に固定される保持部材と、を備え、
前記保持部材は、前記支持部材に向かって開口する開口部を有し、当該開口部から挿入された前記第２パネルの先端部を内部で保持できるように構成されている、安全柵。
【請求項２】
前記保持部材は、前記開口部の反対側に位置する外端面が前記通路口を形成する幅方向他方側の構造部材に固定できるとともに、前記外端面から前記支持部材に向かう方向に延びる側面が前記通路口を形成する幅方向他方側の構造部材に固定できるように構成されている、請求項１に記載の安全柵。
【請求項３】
前記第２パネルは、前記第１パネルと同一平面上に位置するとき、前記第１パネルに対して一方向へ回動するのが許容され、他方向へ回動するのを制限されるように構成されている、請求項１又は２に記載の安全柵。
【請求項４】
前記第１パネルと前記第２パネルが同一平面上に位置するとき、前記第１パネルに対する前記第２パネルの回動を禁止するロック機構を備える、請求項１乃至３のうちいずれか一の項に記載の安全柵。
【発明の詳細な説明】
【技術分野】
【０００１】
本発明は、幼児やペットの通行又は侵入を規制する安全柵に関する。
【背景技術】
【０００２】
幼児やペットの通行又は侵入を規制する安全柵には扉を備えるものがある（例えば特許文献１参照）。
【先行技術文献】
【特許文献】
【０００３】
【特許文献１】特開２０１４−１６６２６２号公報
【発明の概要】
【発明が解決しようとする課題】
【０００４】
扉を備えた安全柵は、扉を開閉するためのスペースを確保する必要があるため、狭いスペースでは設置できない場合もある。そこで、本発明は、扉を備えた安全柵であって、狭いスペースでの設置が可能な安全柵を提供することを目的としている。
【課題を解決するための手段】
【０００５】
本発明の一態様に係る安全柵は、通路口に設置可能な安全柵であって、前記通路口を形成する幅方向一方側の構造部材に固定される支持部材と、前記支持部材に基端部が回動可能に支持される第１パネルと、前記第１パネルの先端部に基端部が回動可能に連結され、前記第１パネルとともに扉を構成する第２パネルと、前記通路口を形成する幅方向他方側の構造部材に固定される保持部材と、を備え、前記保持部材は、前記支持部材に向かって開口する開口部を有し、当該開口部から挿入された前記第２パネルの先端部を内部で保持できるように構成されている。
【０００６】
この構成では、第１パネル及び第２パネルで構成される扉を折り畳むことができるため、扉が１枚のパネルによって構成される場合に比べて、開閉に必要なスペースを抑えることができる。したがって、上記の構成によれば、狭いスペースでの設置が可能な安全柵を提供することができる。
【０００７】
上記の安全柵において、前記保持部材は、前記開口部の反対側に位置する外端面が前記通路口を形成する幅方向他方側の構造部材に固定できるとともに、前記外端面から前記支持部材に向かう方向に延びる側面が前記通路口を形成する幅方向他方側の構造部材に固定できるように構成されていてもよい。
【０００８】
この構成によれば、保持部材の外端面のみならず側面を構造部材に固定することができる。つまり保持部材の側面を通路口の手前側又は奥側の面に固定することができる。これにより、安全柵を通路口の手前側又は奥側に設置できるため、第１パネル及び第２パネルで構成される扉の幅方向寸法が通路口の幅方向寸法より大きい場合であっても、安全柵を通路口に設置することができる。
【０００９】
上記の安全柵において、前記第２パネルは、前記第１パネルと同一平面上に位置するとき、前記第１パネルに対して一方向へ回動するのが許容され、他方向へ回動するのを制限されるように構成されていてもよい。
【００１０】
この構成によれば、扉を手前側又は奥側の一方にのみ折り畳むことができる。ここで、特にペットは安全扉を手前に引いて折り畳むことはほとんどない。そのため、ペットから見て奥側に扉を折り畳めないように安全柵を設置すれば、ペットが扉を開くのを防ぐことができる。
【００１１】
上記の安全柵において、前記第１パネルと前記第２パネルが同一平面上に位置するとき、前記第１パネルに対する前記第２パネルの回動を禁止するロック機構を備えていてもよい。
【００１２】
この構成によれば、扉が閉じた状態にあるとき、ロック機構によって第１パネルに対する第２パネルの回動を禁止することにより、扉が閉じた状態を維持することができる。
【発明の効果】
【００１３】
上記の構成によれば、扉を備えた安全柵であって、狭いスペースでの設置が可能な安全柵を提供することができる。
【図面の簡単な説明】
【００１４】
【図１】図１は、安全柵の正面図である。
【図２】図２は、安全柵の平面図である。
【図３】図３は、安全柵の他の取付方法を示した図である。
【図４】図４は、安全柵の扉が閉じる過程を示す図である。
【図５】図５は、安全柵の扉が閉じる過程を示す図である。
【図６】図６は、安全柵の扉が閉じる過程を示す図である。
【発明を実施するための形態】
【００１５】
以下、実施形態に係る安全柵１００について説明する。図１は安全柵１００の正面図であり、図２は安全柵１００の平面図ある。以下では、図１における紙面左右方向を「幅方向」と称し、紙面に垂直な方向を「前後方向」と称し、紙面手前側を単に「手前側」と称し、紙面奥側を単に「奥側」と称して説明する。
【００１６】
＜安全柵の構造＞
まず、安全柵１００の構造について説明する。安全柵１００は通路口に設置可能であって、幼児やペットの通行又は侵入を規制するための柵である。図１に示すように、本実施形態に係る安全柵１００は、支持部材１０と、第１パネル２０と、連結部材３０と、第２パネル４０と、保持部材５０と、ロック機構６０とを備えている。以下、これらの構成要素について順に説明する。
【００１７】
支持部材１０は、第１パネル２０を回転可能に支持する部材である。ここで、安全柵１００を設置する通路口は、幅方向一方側（図１の紙面左側）に位置する柱状の第１構造部材１０１と、幅方向他方側（図１の紙面右側）に位置する柱状の第２構造部材１０２によって形成されているものとする。本実施形態の支持部材１０は、第１構造部材１０１の内面（第２構造部材１０２に対向する面）に固定されている。
【００１８】
支持部材１０は、上下一対のヒンジ部材１１を有している。各ヒンジ部材１１は、第１構造部材１０１に固定される板状の固定部１２と、固定部１２に設けられた軸受部１３と、軸受部１３内を回動する回動軸部１４と、回動軸部１４に連結された支持部１５と、を有している。第１パネル２０の基端部（支持部材１０に近い端部）は、上下の支持部１５に挟まれるようにして、支持部材１０に支持されている。
【００１９】
各支持部１５の手前側の面には幅方向に延びる長孔１６が形成されている。第１パネル２０の基端部は、支持部１５の内部に収容されており、長孔１６を貫通する取付ねじ１７によって支持部１５に取り付けられている。長孔１６に対する取付ねじ１７の幅方向位置を設定することにより、支持部材１０に対する第１パネル２０の幅方向位置を設定することができる。つまり、安全柵１００の幅方向寸法を設定することができる。
【００２０】
第１パネル２０は、第２パネル４０とともに扉７０を構成する部材である。第１パネル２０は、複数の板材を組み合わせて形成されている。第１パネル２０は、前述のとおり支持部材１０に基端部が支持されているため、支持部材１０の回動軸部１４を回動中心として回動することができる。なお、第１パネル２０は、通路口の床面に接しないように支持部材１０によって支持されている。
【００２１】
連結部材３０は、第１パネル２０と第２パネル４０を連結する部材である。連結部材３０は、上下一対の回動部材３１と、上下一対の回動部材３１をつなぐようにして配置され、上下方向に延びる円柱状の回動軸部材３２とを有している。各回動部材３１は、第１パネル２０の先端部（支持部材１０から遠い端部）に固定される第１回動部３３と、第２パネル４０の基端部に固定される第２回動部３４とを有している。第２回動部３４は、回動軸部材３２を回動中心として第１回動部３３に対して回動する。
【００２２】
ここで、図２に示すように、第１パネル２０と第２パネル４０が同一平面上にあるとき、平面視において回動軸部材３２の中心軸は第１パネル２０及び第２パネル４０の前後方向中央よりも手前側に位置している。そのため、第２パネル４０は、第１パネル２０と同一平面上にあるとき、手前側の方向に回動できる一方、奥側の方向には第１回動部３３と第２回動部３４が干渉するため回動することができない。つまり、第２パネル４０は、第１パネル２０と同一平面上にあるとき、第１パネル２０に対して一方向へ回動するのが許容され、他方向へ回動するのを制限されるように構成されている。したがって、扉７０は奥側に（連結部材３０が奥側に移動するように）折り畳むことはできるが、手前側に（連結部材３０が手前側に移動するように）折り畳むことができない（図４等も参照）。
【００２３】
第２パネル４０は、第１パネル２０とともに扉７０を構成する部材である。第２パネル４０の基端部は第１パネル２０の先端部に連結されており、第２パネル４０は第１パネル２０に対して回動することができる。第２パネル４０は、第２パネル４０の大部分を占め複数の板材で形成されたメインパネル４１と、メインパネル４１よりも幅方向寸法が小さいサブパネル４２と、サブパネル４２の基端部に固定された上下一対の調整部材４３とを有している。
【００２４】
調整部材４３の手前側の面には、幅方向に延びる長孔４４が形成されている。メインパネル４１の先端部は調整部材４３の内部に収容されており、長孔４４を貫通する取付ねじ４５によって調整部材４３に取り付けられている。長孔４４に対する取付ねじ４５の幅方向位置を設定することにより、メインパネル４１に対するサブパネル４２の幅方向位置を設定することができる。つまり、安全柵１００の幅方向寸法を設定することができる。
【００２５】
保持部材５０は、第２パネル４０の先端部を保持する部材である。図２に示すように、保持部材５０は、支持部材１０に向かって開口する開口部５１と、開口部５１の反対側に位置する外端部５２と、外端部５２の前後方向手前側端部から支持部材１０に向かう方向に延びる第１側面部５３と、外端部５２の前後方向奥側端部から支持部材１０に向かう方向に延びる第２側面部５４とを有している。なお、開口部５１は、平面視（断面視）において、支持部材１０に向かうに方向に進むにしたがって開口幅（内面の前後方向寸法）が大きくなるように形成されている。外端部５２、第１側面部５３、及び、第２側面部５４には、それぞれ複数の固定孔５５が上下方向に並んで形成されている。
【００２６】
本実施形態では、図外の固定ねじが、外端部５２に形成された固定孔５５を貫通するようにして第２構造部材１０２の内面（支持部材１０に対向する面）に固定されている。これにより、外端部５２の外側の面（外端面）が第２構造部材１０２に固定される。ただし、図外の固定ねじを、第１側面部５３に形成された固定孔５５を貫通するようにして第２構造部材１０２の奥側の側面に固定することもできる。この場合、図３に示すように、第１側面部５３の手前側の面（側面）が第２構造部材１０２に固定される。同様に、図外の固定ねじを、第２側面部５４に形成された固定孔５５を貫通するようにして第２構造部材１０２の手前側の側面に固定することもできる。この場合、第２側面部５４の奥側の面（側面）が第２構造部材１０２に固定される。
【００２７】
このように、本実施形態の保持部材５０によれば、通路口を形成する第２構造部材１０２の手前側又は奥側の側面に保持部材５０を固定することができ、ひいては安全柵１００を通路口よりも手前側又は奥側に配置することができる。その結果、扉７０の幅方向寸法が通路口の幅方向寸法よりも大きい場合であっても、安全柵１００を通路口に設置することができる。なお、支持部材１０は、保持部材５０の固定位置にあわせて、第１構造部材１０１の手前側又は奥側の側面に固定することができる（図３参照）。
【００２８】
ロック機構６０は、第１パネル２０に対する第２パネル４０の回動を禁止する部材である。本実施形態のロック機構６０は、回動軸部材６１と、係止部材６２と、を有している。回動軸部材６１は前後方向に延びており、第２パネルの連結部材３０付近に設けられている。係止部材６２は、回動軸部材６１を回動中心として回動し、係止部材６２が鉛直方向に延びているときの位置である「非ロック位置」（図１に示す係止部材６２の位置）と係止部材６２が水平方向に延びているときの位置である「ロック位置」（図６に示す係止部材６２の位置）の間を移動する。
【００２９】
係止部材６２は、係止部材６２がロック位置にあるときに係止部材６２の上方部分に位置し幅方向に延びる上面部６３と、上面部６３の手前側端縁から連続し上面部６３に対して垂直な正面部６４と、上面部６３の奥側端縁から連続し上面部６３に対して垂直な背面部６５とを有している。また、係止部材６２がロック位置にあるとき、係止部材６２は下方に開口するように形成されている。
【００３０】
係止部材６２は、ロック位置にあるとき、回動部材３１の第１回動部３３及び第２回動部３４をまたぐようにして覆うように構成されている。そのため、係止部材６２がロック位置にあるとき、第１パネル２０に対する第２パネル４０の回動は禁止される。なお、係止部材６２がロック位置にあるとき、正面部６４が第１回動部３３と干渉しないように、正面部６４の一部が切り欠かれている。
【００３１】
係止部材６２の正面部６４には、挿入孔６６が形成されている。また、第１回動部３３の手前側の側面には挿入片６７が設けられており、挿入片６７は手前側に向かって付勢されている。係止部材６２が非ロック位置からロック位置に移動する際に、挿入片６７は挿入孔６６に挿入する。これにより、挿入片６７が挿入孔６６に引っかかり、係止部材６２のロック位置から非ロック位置への移動が規制される。また、使用者が挿入片６７を奥側に向かって押し込みながら係止部材６２を回動すれば、係止部材６２をロック位置から非ロック位置へ移動させることができる。
【００３２】
＜扉の開閉動作＞
続いて、第１パネル２０と第２パネル４０からなる扉７０の開閉動作について説明する。図４乃至図６は、安全柵１００の扉７０が閉じる過程を示す図である。図４に示すように、扉７０が折り畳まれているとき、扉７０は開いた状態にある。図４に示す扉７０を閉じるには、図５に示すように第２パネル４０の先端部が保持部材５０に近づくように扉７０を次第に伸ばしてゆく。そして、第２パネル４０の先端部を保持部材５０の開口部５１から保持部材５０の内部へ挿入する。これにより、第２パネル４０の先端部は保持部材５０の内部で保持される。
【００３３】
この状態で、図６に示すように、係止部材６２をロック位置に移動させれば、第１パネル２０に対する第２パネル４０の回動が禁止され、つまり第１パネル２０と第２パネル４０が同一平面上にある状態が維持され、扉７０は折り畳めず開くことができなくなる。また、上述した手順とは逆に、図６に示す状態から係止部材６２をロック位置から非ロック位置に移動させ、扉７０を折り畳みながら第２パネル４０の先端部を保持部材５０から抜き、さらに折り畳んでゆけば扉７０を開くことができる。
【００３４】
＜効果等＞
上記のとおり、本実施形態に係る安全柵１００は、第１パネル２０及び第２パネル４０で構成される扉７０を折り畳むことができるため、扉が１枚のパネルによって構成される場合に比べて、開閉に必要なスペースを抑えることができる。そのため、安全柵１００を狭いスペースに設置することができる。
【００３５】
また、特にペットが安全柵１００の奥側から手前側に移動するのを制限する場合、本実施形態のように扉７０が奥側にのみ折り畳むことができるように配置すればよい。この場合、ペットは安全柵１００を引っ張って折り畳むことは難しいため、ロック機構６０によるロックをし忘れたとしても、ペットが扉７０を開くのを防ぐことができる。
【００３６】
さらに、本実施形態に係る安全柵１００は、床面に扉枠やレールを設置する必要がないため、通路口を使用者が通行する際に扉枠やレールなどにつまずくこともない。
【符号の説明】
【００３７】
１０  支持部材
２０  第１パネル
４０  第２パネル
５０  保持部材
５１  開口部
６０  ロック機構
７０  扉
１００  安全柵
１０１  第１構造部材
１０２  第２構造部材
【図１】
2020179061.tif 000003
【図２】
2020179061.tif 000004
【図３】
2020179061.tif 000005
【図４】
2020179061.tif 000006
【図５】
2020179061.tif 000007
【図６】
2020179061.tif 000008